Podtech/llm-jp-corpus-v4-ja_patent huggingface dataset:
(57)【要約】      （修正有）【課題】ダーツの内部を重心が移動できるようにすることによりグリップ感を向上する。【解決手段】チタンのような硬い材質又は従来のバレルをパイプ状に加工し、内部をねじ切りした空洞になっている。この空洞部分に比重の高い材質を移動ができるようにねじ切り加工し挿入してある。これをストッパーねじで固定する。【選択図】図１
0003130385.tif 000002
【実用新案登録請求の範囲】
【請求項１】
ダーツのバレル内部を加工することにより、ダーツのバレル部分の重心を移動できるようにしたダーツ。
【請求項２】
重心移動部分の重さを変えることによりバレル全体の重さも調整することも可能になる。
【考案の詳細な説明】
【技術分野】
【０００１】  本考案はダーツのバレル内部を加工し、重心を移動できることを基本としたダーツである。
【背景技術】
【０００２】現在使われているダーツはスリット（溝）を入れたり、テーパー状に旋盤で加工したり、ねじ穴の深さ等により重心を決めていたものである。
【考案の開示】
【考案が解決しようとする課題】
【０００３】従来の加工して投げやすくしていたダーツは重心に問題があった。
従来の加工方法は旋盤により、スリット（溝）を入れたりテーパー状にしたものやこれらを複合したものにより重心を決めていた。このために、ダーツを握ったときに微妙なバランスの違いがスローイング技術（投げるテクニック）に問題があった。
【課題を解決するための手段】
【０００４】ダーツのバレル内部を加工してバレルの重心を移動できるようにする。
【考案の効果】
【０００５】ばれる内部を加工してダーツの重心を移動できることによりグリップ感を向上する。このことによりダーツのバレルの重心をグリップすることができるため指先でダーツの方向を感じ取りやすくなり微妙な位置を正確に握れるためスローイングが容易になり方向感も向上する。
【考案を実施するための最良の形態】
【０００６】バレル内部は図１による構造を基本とした加工ダーツがが理想的である。
【図面の簡単な説明】
【０００７】
【図１】  チタンのような硬い材質又は従来のバレルをパイプ状に加工し、内部をねじ切りした空洞になっている。この空洞部分に比重の高い材質を移動ができるようにねじ切り加工し挿入してある。これをストッパーねじで固定する。（側面図）
【符号の説明】
【０００８】▲１▼バレル（グリップ部分）
バレルに使用する材質はタングステンだけではなくチタンのような材質でも良い
耐久性があり硬い材質であれば良い。
▲２▼タングステン棒ねじ（比重が大きければ材質は何でも良い）
▲３▼ストッパーねじ（材質は何でも良い）
【図１】
0003130385.tif 000003
【手続補正書】
【提出日】平成18年12月15日(2006.12.15)
【手続補正１】
【補正対象書類名】実用新案登録請求の範囲
【補正対象項目名】全文
【補正方法】変更
【補正の内容】
【実用新案登録請求の範囲】
【請求項１】
ダーツのバレルをパイプ状にねじ切り加工し、内部をねじ状の棒を回転移動させることにより重心移動できることを特徴とするダーツ。
【請求項２】
ねじ状棒部分の重さを変えることによりバレル全体の重さを調整する請求項１記載のダーツ。
(57)【要約】【課題】弾力により骨盤部や腹部を引き締めながらも座るときや動くときなどの動作を邪魔しないもので、かつ縫い目がなく肌への負担も軽減されるガードルやショーツの提供。【解決手段】よく縮みよく伸びるインレー編みなどの編地でガードルやショーツを作成し縫い目が無いことで肌への負担を軽減。さらに骨盤部に一番の弾力があるようにし引き締め効果を与え、部分部分の編地に弾力差をつけることにより立っているときも座っているときも適度な引き締め感があるようにする。【選択図】図１
0003130384.tif 000002
【実用新案登録請求の範囲】
【請求項１】
ヒップと太腿５を弛み部分とし、体型にそった形で動作しやすい。腰上部３、胴部２、腰部４と腹部６の順に弾力をより強くしていく。よく伸びよく縮むインレー編みなどの編地でこのガードルやショーツを作ることにより立っている時は強く引き締め、座る時はつっぱらないようにする。
【請求項２】
増し目・減らし目により編み地から形に編み上げていく成形編みで作られる。
【考案の詳細な説明】
【技術分野】
【０００１】
本考案は、弛みがちな女性の骨盤部を押さえ引き締め効果を得ながら、ソフトな着用感も備えるショーツである。
【背景技術】
【０００２】
女性の骨盤部は弛み広がりやすく体型が崩れやすい。骨盤部を引き締め固定するためのガードルやショーツが一般的に流通している。
【０００３】
従来のガードルやショーツは立っているときも座っているときも常に引き締める状態にあり圧迫感があり、時に苦しさを伴うこともある。
【非特許文献１】立花みどり著「即効！骨盤スリミング」日本文芸社  ２００２年
【考案の開示】
【考案が解決しようとする課題】
【０００４】
立っているときや歩行時などには腹部・腰部をしっかりと引き締め、座っているときは編地が良く伸びゆったりとした履き心地のガードルやショーツを提供することを課題とした。また、縫い目のない編地によって作ることにより肌への負担を軽減する。
【課題を解決するための手段】
【０００５】
本考案は、ガードルやショーツの編地によく伸びよく縮むインレー編みなどを使用することにより立っているときは引き締め座っているときはゆったりした着け心地を実現。さらに臀部や太腿部は弛み部とし臀部は丸く立体的にふくらみ、太腿部は動かしやすくさせた。反対に骨盤の部分である腰部と腹部は弾力を強くしている。
【考案の効果】
【０００６】
従来の常に引き締める状態が続くのではなく、良く伸びることで着心地が格段に良いという利点がある。
【考案を実施するための最良の形態】
【０００７】
よく伸びよく縮む編地によって作られ、骨盤部である腰部と腹部に一番弾力を強くし、臀部のふくらみ部や太腿部は弛み部としたガードルやショーツである。
【実施例１】
【０００８】
図１は本考案からなるショーツの図である。
【図面の簡単な説明】
【０００９】
【図１】本考案の実施例からなるショーツの前から見た図である。（実施例１）
【符号の説明】
【００１０】
１    ショーツ本体
２    胴被覆部
３    腰上部
４    腰被覆部
５    太腿被覆部
６    腹被覆部
【図１】
0003130384.tif 000003
【手続補正書】
【提出日】平成19年1月19日(2007.1.19)
【手続補正１】
【補正対象書類名】実用新案登録請求の範囲
【補正対象項目名】全文
【補正方法】変更
【補正の内容】
【実用新案登録請求の範囲】
【請求項１】
着用者の大腿部、腰部、腹部を被覆し、臀部と大腿部を弛み部分とし、腰上部、胴部、腰部、腹部の順に引っ張り締める力を強くしていくという構造を有するショーツ。
【請求項２】
増し目、減らし目により編地から形に編み上げていく成形編みのインレー編みで、ショーツ腰部の折り返し纏られた部分を除いて縫製部がないことを特徴とする請求項１記載のショーツ。
(57)【要約】      （修正有）【課題】上下続き筒状衣で足部まで防水防塵防寒効果を高めることを可能にする。【解決手段】上下続き筒状衣で後側の腰部から垂直に足首裾まで開閉部を設けることで前側開閉部と衣の足部のみを左右各足に巻きつけることでズボン状にした。【選択図】図１
0003130389.tif 000002
【実用新案登録請求の範囲】
【請求項１】
上下続き筒状衣の、両足を包んだ筒状から各足部を包んだズボン状に変化さすことが出来る特徴をもつ服。
【請求項２】
前記ズボン状にするには上下続き筒状衣の、前側開閉部と後側腰部から垂直に足首裾まで開閉部を設け各開閉部辺に係合部材で係合したことを特徴とする服。
【考案の詳細な説明】
【技術分野】
【０００１】本考案は、レインコートやベンチコートや介護服等の防水・防寒・防塵服の構造に関するものである。
【背景技術】
【０００２】従来の、レインコートやベンチコート介護服等の防水・防寒・防塵服は、図２に示すように足部も両足を包んだ筒状構造であった。
【考案の開示】
【考案が解決しようとする課題】
【０００３】問題点は、
（１）筒状で両足が包まれており股を広げられず、乗り物他行動を制約される点、
（２）足首近くまで防水防寒防塵できない点、
（３）足首近くまで防水防寒防塵する為に靴を脱いでズボン着用の必要に迫られる点
【課題を解決するための手段】
【０００４】  以上の課題を解決するために、両足を包んでいた筒状服の後方股部から裾まで垂直に開閉部を設け前面開閉部と結合させてズボンの形状にすることを特徴とする。
【考案の効果】
【０００５】本考案品では、上述の構成となっているので、次の効果を奏する。
（１）乗物に乗る際、左右の足を広げる必要性が出た場合に容易に足部をズボン形状へ変更できる。
（２）防水防塵防寒効果を高められる。
（３）防水防塵防寒効果を高める為にズボン着用の必要が少なくなる。
【考案を実施するための最良の形態】
【０００６】  この考案の一実施形態を、図１に示す。
【実施例】以下、本考案の実施の形態について説明する。
本考案は、上下続き筒状衣の、前側開閉部（図１Ａ・Ｂ）と後側腰部（図１Ｃ・Ｄ）から垂直に足首裾まで開閉部を設け
各開閉部辺に係合部材を付け、各足部の前後の開閉部各辺（図１Ａ・Ｃ）（図１Ｂ・Ｄ）を結合させる。【０００７】「実施形態の効果」
本考案品では、上述の構成となっているので、次の効果を奏する。
（１）乗物に乗る際、左右の足を広げる必要性が出た場合に容易に足部をズボン形状へ変更できる。
（２）防水防塵防寒効果を高められる。
（３）防水防塵防寒効果を高める為にズボン着用の必要が少なくなる。【０００８】「他の実施形態」
【図面の簡単な説明】
【０００９】
【図１】この考案の一実施形態を示す斜視図である。
【図２】従来技術を示す斜視図である。
【符号の説明】
【００１０】Ａ・Ｂ  前面開放部
Ｃ・Ｄ  後方開放部
【図１】
0003130389.tif 000003
【図２】
0003130389.tif 000004
【手続補正書】
【提出日】平成18年12月18日(2006.12.18)
【手続補正１】
【補正対象書類名】実用新案登録請求の範囲
【補正対象項目名】全文
【補正方法】変更
【補正の内容】
【実用新案登録請求の範囲】
【請求項１】
上下続き筒状衣の、両足を包んだ筒状部の後方股部から裾まで垂直後方に開閉部を設け、後方開閉部に前側開閉部と結合する為の結合部材を設けたことを特徴とする衣。
(57)【要約】      （修正有）【課題】表彰楯、レリーフ楯、メモリアルボードを従来のものより簡単に飾り換えができ展示性を高めるもの。【解決手段】表彰楯、レリーフ楯、メモリアルボード、その他の記念楯の製作時に、楯板２にマグネット４を貼り、レリーフ１を鉄製またはステンレス製にすることにより楯板と記念レリーフプレートの脱着を可能にし、板一枚に対して数種類の記念レリーフプレートを好みのものに何時でも付け替えることが出来ると同時に士気高揚性を高めるものである。【選択図】図２
0003130388.tif 000002
【実用新案登録請求の範囲】
【請求項１】
表彰楯、レリーフ楯、メモリアルボード、その他の記念楯は楯板と記念を表すレリーフが一体となっているが、楯板にマグネットを貼りレリーフを鉄製またはステンレス製にすることにより楯板と記念レリーフプレートの脱着を容易にすることが出来る。このことにより、楯板一枚に対して数種類の記念レリーフプレートを好みのものに何時でも簡単に付け替えることが出来ることを特徴とするマグネットレリーフ。
【考案の詳細な説明】
【技術分野】
【０００１】本考案は、表彰楯板、レリーフ楯板、メモリアルボード、その他の記念楯板と記念レリーフの記念品に関するものである。
【背景技術】
【０００２】表彰楯、レリーフ楯、メモリアルボード、その他の記念楯を製作する業界は、全東京記章商工組合などを形成している。
【考案の開示】
【考案が解決しようとする課題】
【０００３】表彰楯、レリーフ楯、メモリアルボード、その他の記念楯は、一度に数種類を授与される場合があり、授与されたものを簡単に飾り換えたいという願望があったが、限りある展示場所に飾りきれなく忘れられてしまうケースがあった。本考案は、表彰楯、レリーフ楯、メモリアルボード、その他の記念楯などの記念品にかかわり、既成マグネット板を活用することにより記念品の室内展示換えを安価に気軽に実現でき、保存・飾りたいという願望に一致するものである。
【問題を解決するための手段】
【０００４】表彰楯、レリーフ楯、メモリアルボード、その他の記念楯の製作時に、楯板にマグネットを貼りレリーフを鉄製またはステンレス製にすることにより楯板と記念レリーフプレートの脱着を可能にし、板一枚に対して数種類の記念レリーフプレートを好みのものに何時でも付け替えることが出来ると同時に士気高揚性を高めるものである。
【考案の効果】
【０００５】  本考案のマグネットレリーフは、次のような効果がある。
１．多くの表彰楯、レリーフ楯を限られたスペースに好みの内容で飾られる。
２．常に新鮮な気持ちで表彰内容を思い返すことができ重要効果をもたらす。
３．一個でも多数製作する場合と同一単価でできる。
４．一人一人の願望に答えられる。
５．楯板と内容が既製品と違ってくるため一人一人のオリジナル製品となる。
【考案を実施するための最良の形態】
【０００６】以下、本考案の一実施形態について図面を参照しつつ説明する。図１は本考案にかかるマグネットレリーフの側面分解図である。Ｂ面にマグネット板を両面テープで貼り、テープ紙を剥がし楯板などの表面の平らな部分へ貼り付ける。完成図が図２となる。
【図面の簡単な説明】
【０００７】
【図１】  本考案の側面分解図である。
【図２】  本考案を楯板などにマグネット板が貼付された完成図である。
【符号の説明】
【０００８】  １．レリーフ
２．楯板
３．両面テープ
４．マグネット板
【図１】
0003130388.tif 000003
【図２】
0003130388.tif 000004
【手続補正書】
【提出日】平成18年12月22日(2006.12.22)
【手続補正１】
【補正対象書類名】実用新案登録請求の範囲
【補正対象項目名】全文
【補正方法】変更
【補正の内容】
【実用新案登録請求の範囲】
【請求項１】
レリーフ部分だけが違っている複数の表彰および記念楯において
（１）楯板のみを活かして、
（２）レリーフのみを常時取替え可能とするために、
（３）楯板にマグネットを貼ることにより、レリーフの脱着を容易にし、
（４）好みのレリーフを簡単に楯板に付け替える事ができ、かつ飾り場所が少なくて済ませることができる。
以上からなるマグネットレリーフ。
(57)【要約】【課題】本考案はトイレ便器の便座後部にライトを設け、又便座蓋の裏面にミラーを設けて自己のお尻まわりの目視確認を容易に出来るようにする。【解決手段】本考案は、便座６後部にライト１を設け、便座操作部５に当該ライトのスイッチ２を設ける。又便座蓋の裏面４にミラー３を設ける。従ってライト１とミラー３を組合わせ設けることによって自己のお尻まわりの目視確認が容易に出来るようになる。【選択図】図１
0003130387.tif 000002
【実用新案登録請求の範囲】
【請求項１】
洋風便器本体に取付けられた便座の後部にお尻まわりを照らすライトと、便座操作部に当該ライトのスイッチを設けるとともに、便座蓋の裏面にミラーを設ける。
【考案の詳細な説明】
【技術分野】
【０００１】本考案は、トイレ便器の便座後部にライト及び、便座蓋の裏面にミラーを設けた温水洗浄便座又は、暖房便座等の便座に関するものである。
【背景技術】
【０００２】顔や手足と違って特に確認しにくい自分のお尻まわりを目視確認するには、トイレやあるいは隠れた場所などで手鏡などを持ち込んで目視するのが今までの一般的な行動であった。
【考案の開示】
【考案が解決しようとする課題】
【０００３】自分のお尻まわりの異常、違和感、そしてよごれ等々目視確認するには、トイレあるいは隠れた場所などで手鏡などで行うのが一般的でなかなかやりづらい動作であった。従ってトイレ便器の便座後部にライトと、便座蓋の裏面にミラーを組み合わせて設けることにより自己のお尻まわりの目視確認が容易に出来るようになる。
【課題を解決するための手段】
【０００４】本考案は、便座後部にお尻まわりを照らすライトと便座操作部に当該ライトのスイッチを設けるとともに便座蓋の裏面にミラーを設けることにより問題点を解決している。
【考案の効果】
【０００５】上述のように本考案は毎日の自己のお尻まわりの異常、違和感、そしてよごれ等々、目視確認が容易にでき、毎日の清潔さを保つ習慣にもなり、病気等の早期発見と健康管理にも役立つ。
【考案を実施するための最良の形態】
【０００６】排便の後、便座操作部５のライトスイッチ２を入れてライトを点灯し中腰のままミラー３で目視確認する。
【図面の簡単な説明】
【０００７】
【図１】  パース図
【図２】  正面図
【図３】  左側面図
【図４】  右側面図
【符号の説明】
【０００８】  １  ライト
２  ライトスイッチ
３  ミラー
４  便座蓋の裏面
５  便座操作部
６  便座
７  便座蓋
８  洋風便器本体
【図１】
0003130387.tif 000003
【図２】
0003130387.tif 000004
【図３】
0003130387.tif 000005
【図４】
0003130387.tif 000006
【手続補正書】
【提出日】平成18年12月20日(2006.12.20)
【手続補正１】
【補正対象書類名】実用新案登録請求の範囲
【補正対象項目名】全文
【補正方法】変更
【補正の内容】
【実用新案登録請求の範囲】
【請求項１】
洋風便器本体に取付けられた便座の後部にお尻まわりを照らすライトと、便座操作部に当該ライトのスイッチを設けるとともに、便座蓋の裏面にミラーを設けたことを特徴とするライト及びミラー付き便座。
(57)【要約】【課題】  カップに熱く入れた飲み物は熱い内に飲むのがおいしい、しかし  時間の経過と共に飲み物は冷たくなってしまう  特に寒い時期の飲み物のおいしさは半減してしまう為  常に温かくしておきたい。【解決手段】  時間が経過しても飲み物の温かさを少しでも保持させる方法としてプラスチック材料を使用した部品で組立てた本体に  商業電圧を使用する半導体セラミック発熱素子１０で加温した金属板３を組み込み  コーヒー等の飲み物を入れたカップを金属板上３に乗せて置く事により  熱伝導  熱輻射でカップと共に飲み物は温められ飲み物の冷める速度が遅くなり  時間が経過しても飲み物は或る一定の温度を保つようになる  又  コンセントを有している為  カップウオーマー同志の連結が可能である。【選択図】図１
0003130393.tif 000002
【実用新案登録請求の範囲】
【請求項１】
商業電圧を用いて加温した金属板上にコーヒー等の飲み物が入っているカップを直接置いて  熱伝導  及び  熱輻射にてカップと共にカップ内の飲み物を保温する１個仕様の構造を持つカップウオーマー
【請求項２】
コンセントを設備しており  連結使用が出来る構造を持つ上記記載のカップウオーマー
【考案の詳細な説明】
【技術分野】
【０００１】  本体は成型したプラスチック材で組立てており  電源コードは本体外周に巻き止め式になっている、飲み物の入ったカップを保温する為の金属板を有し  連結用コンセントを備えた手の平サイズの  カップ１個仕様の電気式保温器具。
【背景技術】
【０００２】  カップに入れた熱い飲み物も時間の経過と共に徐々に周囲温度まで冷めてしまうのが通常である。
【特許文献１】特許公開２００３−１３５２８１（料理保温盆）
【特許文献１】特許公開２００３−２０１７２６（飲食容器の保温器）
【考案が解決しようとする課題】
【０００３】    時間の経過と共に冷めてしまう飲み物を少しでも温かく維持する為  商業電圧を使用し消費電力数ワットの発熱素子で飲み物の入ったカップを乗せる金属板を常時温めておく。
【問題を解決する為の手段】
【０００４】    筐体内に組み込んでいる選定したキュウリー温度を持つ発熱素子１０は電極取付板８の中央に収まり素子１０の側面は異極なる電極板９に挟まれて通電する。電圧を印加するとジュール熱により自己発熱し熱伝導により電極板９から絶縁板５金属板３へと伝わる  素子は一定温度を保つ自己制御機能を持つため密着取り付けしている金属板３をも一定温度に維持する。
【０００５】    発熱素子１０により一定温度を保った金属板上３に飲み物の入ったカップを置くことにより  熱伝導  熱輻射によりカップ内の飲み物はカップと共に温められる。
【考案の効果】
【０００６】      温められた金属板上３に置かれた  カップ内の飲み物は冷める速度が遅くなった。又  時間が経過しても飲み物の保温状態は  カップの形状により異なるが温かい状態を保っている。但し  製品での金属板３は一段凹んだ位置に取り付いている為  使用できるカップ底部の大きさは凹み直径寸法以内の大きさのカップに制限される。
【考案を実施するための最良の形態】
【０００７】    発熱素子１０のジュール熱がカップ内の飲み物に効率よく伝わることが大切である為発熱素子１０  電極版９  絶縁板５  金属板３  及び  カップ底面はそれぞれが密着している事が大切である。【０００８】    金属板３と接触するカップの底部形状は底部が高く接触面積が小さいコップより、マグカップに見られる様に底部形状が平坦で金属板との接触面積が広い方が熱伝導は良く飲み物の保温温度も高い。
【産業上の利用可能性】
【０００９】    カップウオーマー
【図面の簡単な説明】
【００１０】
【図１】  組立て構造図
【図２】  部品組図
【図３】  回路図
【符号の説明】
【００１１】  １、本体上
２、本体下
３、金属板
５、絶縁板上
６、絶縁板下
８、電極取付板
９、電極版
１０、発熱素子
１７、コンセント
２１、電源コード
２５、コード止め
【図１】
0003130393.tif 000003
【図２】
0003130393.tif 000004
【図３】
0003130393.tif 000005
【手続補正書】
【提出日】平成19年1月22日(2007.1.22)
【手続補正１】
【補正対象書類名】実用新案登録請求の範囲
【補正対象項目名】全文
【補正方法】変更
【補正の内容】
【実用新案登録請求の範囲】
【請求項１】
金属板と発熱素子とを有し、
前記発熱素子は電圧の印加により自己発熱し、一定温度を保つ自己制御機能を持ち、熱伝導により前記金属板を加温して一定温度に維持可能に設けられ、
加温した前記金属板上にコーヒー等の飲み物が入っているカップを直接置いたとき、熱伝導および熱輻射により前記カップと共に前記カップ内の前記飲み物を保温するカップ１個仕様の構造を持つカップウオーマー。
【請求項２】
コンセントを設備しており、連結使用が出来る構造を持つ請求項１記載のカップウオーマー。
(57)【要約】      （修正有）【課題】しおり形状付一体形お礼状を有効に理想的形態で使用すること。【解決手段】しおり形状付一体形お礼状が、有効に理想的形態で使用することが可能となり、本来の目的である手紙・挨拶文面状の一部として、自然に違和感のない形態で一体化し受け入れやすい物となる。合わせて作成工程の一部を福祉施設等に委ねることで社会貢献の目的が達成出来る。【選択図】図１
0003130394.tif 000002
【実用新案登録請求の範囲】
【請求項１】
お礼状が外部より確認出来ることを特徴とする透明、スケルトン形態及びお礼状差し込み部、ポケット部を添えることを特徴とする台紙付形態のしおり形状付一体形お礼状入れ。
【請求項２】
前記、しおり形状物は印刷物、写真及び飾り物を用いたしおり形状の物を備えることを特徴とするもので、請求項１記載のしおり形状付一体形お礼状入れ。
【考案の詳細な説明】
【技術分野】
【０００１】
本考案は、お礼状にしおり形状物が一体化した礼状入れである。
【背景技術】
【０００２】
従来の挨拶状・礼状・会葬礼状類は挨拶文や写真等が印刷された物を封筒に入れるか、ハガキタイプとして使用する物のみであった。
【考案の開示】
【考案が解決しようとする課題】
【０００３】
しおり形状付一体形お礼状を有効に理想的形態で使用すること。
【課題を解決するための手段】
【０００４】
以上の課題を解決するために、本考案の一体形お礼状入れの形態を用いることで問題を解決出来る。
【考案の効果】
【０００５】
しおり形状付一体形お礼状の普及と入れ物に用いたポケット部、差し込み部の形態によりお礼状の目的を達成した後に保険証入れ等の他目的に利用することが可能となり資源のリサイクルとして活用出来る。
【考案を実施するための最良の形態】
【０００６】
しおり形状付一体形お礼状をセットするものとして、通例の紙封筒でなく考案の特徴を要する礼状入れにセットする。
【実施例】
【０００７】
以下、添付図面に従って一実施例を説明する。１はお礼状入れで、２は差し込み部である。３はしおり形状物であり、２の差し込み部より６のお礼状と共にセットし一体形となる。４はポケット部で仏事を例に取るとお清め塩等をセットする部分として利用する。５はお礼状本体に「会葬御礼・お祝」等の題目が印刷されていない物の場合、条件に合う題目をシール及び印刷の形態で明らかにする部分である。１αは非見開きタイプのお礼状入れでαの上部・側部等の差し込み部よりセットし一体形とする。なお、条件により４のポケット部を必要としない場合も発生する。７は台紙であり３及び６をセットし一体形とする。以上の形によりしおり形状付一体形お礼状完成形とする。
【０００８】
７の台紙にセットと一体形とする場合、非見開きハガキタイプの表・裏に３と６をセットし完成形とする場合もある。
【図面の簡単な説明】
【０００９】
【図１】見開き形にセットし一体形とする本考案の実施例の正面図である。
【図２】１の見開き形を２の差し込み部と共に上部から見た本考案の断面図である。
【図３】非見開き形にセットし一体形とする本考案の実施例の正面図である。
【図４】非見開き形にセットし一体形とする本考案の実施例の両面図である。
【図５】台紙にセットし一体形とする本考案の実施例の正面図である。
【符号の説明】
【００１０】
１      見開き形お礼状入れ
１α    非見開き形お礼状入れ
２      差し込み部
３      しおり形状物
４      ポケット部
５      題目（シール及び印刷）
６      お礼状
７      台紙
【図１】
0003130394.tif 000003
【図２】
0003130394.tif 000004
【図３】
0003130394.tif 000005
【図４】
0003130394.tif 000006
【図５】
0003130394.tif 000007
【手続補正書】
【提出日】平成19年1月19日(2007.1.19)
【手続補正１】
【補正対象書類名】実用新案登録請求の範囲
【補正対象項目名】全文
【補正方法】変更
【補正の内容】
【実用新案登録請求の範囲】
【請求項１】
一方にお礼状、他方に印刷物、写真及び飾り物を用いたしおり形状物を差し込む、差し込み部を備えた透明で見開き形のお礼状入れ。
【請求項２】
さらにお清め塩等をセットするポケット部を備えた請求項１に記載のお礼状入れ。
(57)【要約】【課題】本考案は、歯科用口内法Ｘ線撮影において、口内法Ｘ線撮影フィルムなどの平板状記録媒体の周辺部が患者の口腔に接触することにより生じる痛みなどの不快感を緩和する。【解決手段】歯科用粘着性ゲルプレートを歯科用口内法Ｘ線撮影用平板状記録体とほぼ同じ、ないしは、若干大きい略矩形の板状とし、より好適には、略矩形のプレートの四隅にＲ面取りを施し、前記歯科用口内法Ｘ線撮影用平板状記録体を前記歯科用粘着性ゲルプレートの中央部に粘着させて使用する。【選択図】図１
0003130398.tif 000002
【実用新案登録請求の範囲】
【請求項１】
歯科用口内法Ｘ線撮影用平板状記録部の周辺部が患者の口腔内に当接することにより生じる痛みを緩和するための粘着性ゲルプレートであって、前記歯科用口内法Ｘ線撮影用平板状記録部とほぼ同じ、ないしは、若干大きい略矩形の板状であり、前記歯科用口内法Ｘ線撮影用平板状記録部を前記粘着性ゲルプレートの中央部に粘着させて使用することを特長とする歯科用粘着性ゲルプレート。
【請求項２】
略矩形の四隅がＲ面取りされていることを特長とする請求項１に記載の歯科用粘着性ゲルプレート。
【請求項３】
前記歯科用口内法Ｘ線撮影用平板状記録部は、Ｘ線フィルム、または、ＣＣＤセンサ、または、イメージングプレートであることを特長とする請求項１または２に記載の歯科用粘着性ゲルプレート。
【考案の詳細な説明】
【技術分野】
【０００１】  歯科用口内法Ｘ線撮影に使用するＸ線フィルム等の記録体の周辺部が患者の口腔内に当接することにより生ずる痛みを緩和するための保護具に関するものである。
【背景技術】
【０００２】  歯科医療においては、口内法Ｘ線フィルム等の記録体を口腔内の歯の位置に患者の指で、または、各種フィルムホルダを使用して固定し、口腔外よりＸ線を照射して歯および周辺組織を撮影する方法が取られている。
【考案の開示】
【考案が解決しようとする課題】
【０００３】  口内法Ｘ線フィルム（以下Ｘ線フィルムと略する）は、フィルム本体とフィルム本体透過後のＸ線を吸収するための鉛箔をビニール包装したものであり、口腔内でＸ線フィルムを固定する際Ｘ線フィルムを湾曲させないために、曲がりにくく作られている。また、ビニール包装の外周部は切断されたままの状態で角部が立っている。したがって、患者がＸ線フィルムを指などで歯の位置に固定する際に口腔内にＸ線フィルムの周辺部が当接するため、患者の口腔内にかなりの痛みを生じていた。そのため、特に、小児の診療には問題があった。
近年、歯科の分野でもデジタルＸ線画像システムが普及しつつあるが、これに使用する口腔内に挿入するＣＣＤセンサ、イメージングプレートはいずれも硬質のものであり、口腔内に痛みなどの不快感を与える点ではＸ線フィルムと同様の問題を有している。【０００４】  これに対し従来より、以下の技術が存在する。特許出願公表  平３−５００９３６は、Ｘ線フィルムの周辺部を柔軟な材料で被覆したものを開示している。しかしながら、通常の周辺部を被覆していないＸ線フィルムより高価である。米国特許  第４，６２６，２１６は、Ｘ線フィルムパケット周辺部（一辺と二角）に貼り付ける折りたたみ可能な柔軟保護部材（エチレンビニルアセテート発泡体製）を開示している。しかしながら、粘着剤を保護する剥離紙を剥がし、Ｘ線フィルム周辺部に貼り付ける（Ｘ線フィルムの前周を保護するには２回の作業を要する）という手間がかかると共に、発泡材料が患者の唾液を吸収するという衛生上問題もある。したがって、歯科用粘着性ゲルプレートの中央部にＸ線フィルムを貼り付けるだけの簡単な操作で上記問題点を解決しようとするものである。
【課題を解決するための手段】
【０００５】  本考案は、歯科用粘着性ゲルプレートを歯科用口内法Ｘ線撮影用平板状記録体とほぼ同じ、ないしは、若干大きい略矩形の板状とし、より好適には、略矩形のプレートの四隅にＲ面取りを施し、前記歯科用口内法Ｘ線撮影用平板状記録体を前記歯科用粘着性ゲルプレートの中央部に粘着させて使用することにより上記問題点を解決している。さらに、Ｘ線フィルム、または、ＣＣＤセンサ、または、イメージングプレート等の各種記録体に対応可能としている。
【考案の効果】
【０００６】  上述のように、本考案の歯科用粘着性ゲルプレートは、その中央部にＸ線フィルムを貼り付けるだけなので操作が非常に簡単であり、Ｘ線フィルム周辺に柔軟材料を貼り付ける従来例の様な手間がかからない。また、Ｘ線フィルム周辺部を柔軟材料で保護した特別なＸ線フィルムを必要としないので安価である。さらに、薬液で消毒することで繰り返し使用でき、粘着力が低下した場合は石鹸などで洗浄することで粘着力を回復できるので、ランニングコストが安い。さらに、Ｘ線フィルムだけでなく、ＣＣＤセンサ、イメージングプレートにも対応可能であるので応用範囲が広い。さらに、小児に対して大人用のＸ線フィルムを使用しても痛みを与えることがないので、小児用の小型Ｘ線フィルムを用意する必要がない。即ち、Ｘ線フィルムサイズは一種類用意すればよい。さらに、口内撮影用の各種Ｘ線フィルムホルダの使用も可能である。
【考案を実施するための最良の形態】
【０００６】  Ｘ線フィルムなどの記録体とほぼ同じ、ないしは、若干大きい略矩形に成形した歯科用粘着性ゲルプレートの中央部に前記記録体を押し付けて粘着させた状態で口腔内に固定しＸ線撮影を行う。さらに、歯科用粘着性ゲルプレートの四隅をＲ面取りすることで視覚的にも患者の不安感を緩和できる。
【実施例】
【０００７】  以下添付図に従って一実施例を説明する。図１はＸ線フィルム１を歯科用粘着性ゲルプレート２に貼り付けた状態を示したものである。Ｘ線フィルム１はフィルム本体とフィルム本体透過後のＸ線を吸収するための鉛箔をビニール包装したパッケジで、大きさは３３ｍｍ×４４ｍｍである。歯科用粘着性ゲルプレート２の素材には、直鎖の炭化水素で構成された高分子材料を主剤とする粘着性ゲルであり、メディカル向けグレードの人体に安全なもので、かつ、Ｘ線吸収率が少ないものを使用する。前記粘着性ゲルを板状に成形し、４０ｍｍ×５０ｍｍの大きさで四隅にＲ３の面取りを施した略矩形に型抜きして歯科用粘着性ゲルプレート２を製作する。型抜き後、ないしは、型抜きまえにゲルプレートの両面に保護フィルムを貼り付ける。【０００７】  以下に、撮影の手順を簡単に説明する。図１に示すように、少なくとも片面の保護フィルムを剥がした歯科用粘着性ゲルプレート２の略中央部にＸ線フィルム１を押し付けて粘着する。これを、図２に示すように、患者の指３、または、各種ホルダを使用して口腔内にＸ線フィルム１を固定する。その後、通常の方法で口腔外からＸ線４を照射して撮影を行う。上述の簡単な操作で、口内法Ｘ線撮影時の痛みなどの不快感から患者を解放することができる。
【図面の簡単な説明】
【図１】  Ｘ線フィルムを歯科用粘着性ゲルプレートに貼り付けた状態
【図２】  口腔内上顎に固定した状態
【符号の説明】
１    Ｘ線フィルム
２    ゲルプレート
３    指
４    Ｘ線
【図１】
0003130398.tif 000003
【図２】
0003130398.tif 000004
(57)【要約】      （修正有）【課題】パッテイングのポイントはカップに向かってボールを真直ぐにころがす事が重要であるが、真直ぐに再現性のあるボールを打つには長い経験が必要であった。【解決手段】パターのシャフトを自分の身体側に湾曲させたパターを自分の身体側にひきつけてボールを打つと無駄な動きがなくなり再現性のある真直ぐなボールが打てる。【選択図】図１
0003130400.tif 000002
【実用新案登録請求の範囲】
【請求項１】
ゴルフ用パターのグリップ終端部からヘッドまでの部分を自分の身体側に湾曲させたシャフト
【考案の詳細な説明】
【技術分野】
【０００１】本発明はパターのグリップ終端部からパターヘッドのネックまでまでの間でシャフトを自分の身体側に湾曲させたパターに関するものである。
【背景技術】
【０００２】従来のパターのシャフトはグリップ終端部からヘッドネックまでは直線状のものが多く充分にパターを自分の身体側にひきつけられなかった。
【考案の開示】
【考案が解決しようとする課題】
【０００３】パッテイングのポイントはカップに向かってボールを真直ぐに転がす事が重であるが、真直ぐに再現性のあるボールを打つには長い経験が必要であった。
従来のパターのシャフトは直線状のものが多くパターのヘッドを充分に自分の身体側にひきつける構造になっていない。
【課題を解決しようとするための手段】
【０００４】パターのシャフト、グリップ終端部からヘッドまでの部分を身体側に湾曲にげたものを使用しヘッドを自分の身体側にひきつけられる事で問題点を解決している。。
【考案の効果】
【０００５】身体側にシャフトを湾曲させる事でクラブを身体側にひきつけて打つことで無駄な動きがなくなり、再現性のある真直ぐなボールが打てる。
【実施例】
【０００６】以下添付図面に従って一実施例を説明する。図のごとくグリップ▲１▼の終端部からヘッド▲３▼の間までのシャフトを身体側に湾曲させる。
【図面の簡単な説明】
【０００７】▲１▼がグリップ、▲２▼が湾曲されたシャフト、▲３▼がヘッド、▲４▼がボール、▲５▼がグリーンで構成されるが今回の発明は▲２▼の湾曲されたシャフトである。
【符号の説明】
【０００８】▲１▼グリップ
▲２▼湾曲シャフト
▲３▼ヘッド
▲４▼ボール
▲５▼グリーン
〔書類名〕図面
【０００８】
【図１】
湾曲されたシャフトを有するパター
【図１】
0003130400.tif 000003
【手続補正書】
【提出日】平成19年2月13日(2007.2.13)
【手続補正１】
【補正対象書類名】明細書
【補正対象項目名】全文
【補正方法】変更
【補正の内容】
【考案の詳細な説明】
【技術分野】
【０００１】
本発明はパターのグリップ終端部からパターヘッドのネックまでの間でシャフトを自分の身体側に湾曲させたパターに関するものである。
【背景技術】
【０００２】
従来のパターのシャフトはグリップ終端部からヘッドネックまでは直線状のものが多く充分にパターを自分の身体側にひきつけられなかった。
【考案の開示】
【考案が解決しようとする課題】
【０００３】
パッテイングのポイントはカップに向かってボールを真直ぐに転がす事が重要であるが、真直ぐに再現性のあるボールを打つには長い経験が必要であった。
従来のパターのシャフトは直線状のものが多くパターのヘッドを充分に自分の身体側にひきつける構造になっていない。
【課題を解決するための手段】
【０００４】
パターのシャフト、グリップ終端部からヘッドまでの部分を身体側に湾曲に曲げたものを使用しヘッドを自分の身体側にひきつけられる事で問題点を解決している。
【考案の効果】
【０００５】
身体側にシャフトを湾曲させる事でクラブを身体側にひきつけて打つことで無駄な動きがなくなり、再現性のある真直ぐなボールが打てる。
【実施例】
【０００６】
以下添付図面に従って一実施例を説明する。図のごとくグリップ（１）の終端部からヘッド（３）の間までのシャフトを身体側に湾曲させる。
【０００７】
（１）がグリップ、（２）が湾曲されたシャフト、（３）がヘッド、（４）がボール、（５）がグリーンで構成されるが今回の発明は（２）の湾曲されたシャフトである。
【図面の簡単な説明】
【０００８】
【図１】は湾曲されたシャフトを有する斜視図
【符号の説明】
【０００９】
１．グリップ
２．湾曲シャフト
３．ヘッド
４．ボール
５．グリーン
(57)【要約】【課題】  本考案は四角いタオルに手を加え花のかたちに折曲げ、プレゼントにしたり鑑賞用にしたりと、今までのタオル本来の用途だけではなく、楽しさも演出している。【解決手段】  本考案は四角いタオル本体１に花芯と葉っぱ２を加え花のかたちに折曲げ４の不織布・パッケージ・カップに入れ、袋５に入れメッセージカード６をつけることによりプレゼント用としてはもちろん、見た目のかわいらしさや楽しさを強調している。【選択図】図３
0003130371.tif 000002
【実用新案登録請求の範囲】
【請求項１】
ミニハンカチタオルを使い折曲げて作った、花のかたちのタオルです。タオルを対角線に折り、四方の角を出して花のかたちになるよう花芯を入れて巻き葉っぱをつけてゴムでとめます。まわりを不織布とセロハンで包みブーケのようにしました。タオルと不織布とセロハンが動かないようにメッセージカードのついたテープで止めています。
【請求項２】
ミニハンカチタオルを使い折曲げて作った、花のかたちのタオルです。タオルを蛇腹に織り一カ所の端の方をウッドビーズのついたゴムでとめます。そのウッドビーズが中心にくるようにタオルを半分に折りゴムでとめます。まわりを不織布で包みブーケのようにペーパーバックに入れ、動かないようにメッセージカードのついたリーフで止めています。花をとめているウッドビーズのついたゴムはタオルからはずしたら、ヘアーゴムとしても使うことができます。
【請求項３】
ミニハンカチタオルを使い折曲げて作った、花のかたちのタオルです。タオルを対角線にだいたい四分の一ぐらいの大きさになるよう折り、花のかたちになるよう花芯を入れてくるくると巻き葉っぱをつけゴムでとめます。まわりを不織布で包みプラスティックの容器に入れます。プラスティックの容器はタオルを出したら、いろいろなものに使えます。
【請求項４】
ミニハンカチタオルを使い折曲げて作った、花のかたちのタオルです。タオルを対角線にだいたい三分の一ぐらいの大きさになるよう２回折り、四方の角を出して花のかたちになるよう花芯を入れてくるくると巻き葉っぱをつけゴムでとめます。まわりを不織布で包みマフィンカップに入れます。不織布やタオルを出した後、マフィンカップでケーキを焼くこともできます。
【考案の詳細な説明】
【技術分野】
【０００１】  本考案は、タオルに手を加え花のかたちに折りプレゼント用にセットした、タオルに関するものである。
【背景技術】
【０００２】  従来タオルは四角な箱にたたんで入れ、包装をしてプレゼント用としている。
【考案の開始】
【考案が解決しようとす課題】
【０００３】  四角いタオルを四角い箱に入れただけでは、見た目の楽しさやかわいらしさに欠ける。また、タオルの入った箱は捨てられてしまうことが大半で、もしくは箱に入ったまま長期間しまい込んでしまうことが多い。
【課題を解決するための手段】
【０００４】  本考案は、四角いタオルを花のかたちに折りパッケージや包装紙を工夫することにより見た目のかわいらしさや楽しさを強調している。また、そのまま部屋などに飾れてパッケージの再利用も考えられている。
【考案の効果】
【０００５】  上述の様に、本考案の花のかたちに折ったタオルはパッケージから出し、ゴムや花芯や葉っぱを外せば、タオルハンカチとして利用することができる。また、平面的なものから花のかたちという立体的なものに変えることによりタオル本来の用途だけでなく、楽しさを演出している。
【考案の実施するための最良の形態】
【０００６】  ただ四角いだけのタオルを、花芯や葉っぱをつけて花のかたちに折曲げていく。その花のかたちのタオルを不織布につつみかわいらしいパッケージに入れる。花の持つかわいらしさや美しさをできる限り本物に近づけられるように、タオル以外のものをプラスして表現していく。
【実施例】
【０００７】  以下添付図面に従って一実施例を説明する。１は花芯や葉っぱをつけて花のかたちに折曲げたタオル、２はその花のかたちになったタオルを不織布につつみカップやパッケージに入れる。３はカップやパッケージに入れた花のかたちのタオルをビニールの袋に入れメッセージカードをつけて袋の上を止める。
【図面の簡単な説明】
【０００８】
【図１】本考案の四角いタオルを花のかたちに折曲げた一実施例を示す図である。
【図２】花のかたちのタオルを不織布につつみカップやパッケージに入れた図である
【図３】カップやパッケージに入れた花のかたちのタオルを袋に入れた図である。
【符号の説明】
【０００９】  １  タオル本体
２  花芯、葉っぱ
３  タオルや花芯、葉っぱを止めるゴム
４  花のかたちに折曲げたタオルをつつむ不織布、カップ、パッケージ
５  袋
６  メッセージカード
【図１】
0003130371.tif 000003
【図２】
0003130371.tif 000004
【図３】
0003130371.tif 000005
【手続補正書】
【提出日】平成18年12月22日(2006.12.22)
【手続補正１】
【補正対象書類名】実用新案登録請求の範囲
【補正対象項目名】全文
【補正方法】変更
【補正の内容】
【実用新案登録請求の範囲】
【請求項１】
ミニハンカチタオルを対角線に折り、四方の角を出して花のかたちになるよう花芯を入れて巻き葉っぱをつけてゴムでとめ、まわりを不織布とセロハンで包み動かないようにメッセージカードのついたテープで止めて、ブーケにみえるように花のかたちに折ったタオル。
【請求項２】
ミニハンカチタオルを蛇腹に折り一ヶ所の端の方をウッドビーズのついたヘアーゴムで止め、そのビーズが中心にくるようにタオルを半分に折り不織布で包みペーパーバックに入れ、動かないようにメッセージカードのついたリーフで止めて、ブーケに見えるように花のかたちに折ったタオル。
【請求項３】
ミニハンカチタオルを対角線にだいたい三分の一ぐらいの大きさになるよう２回折り、四方の角を出して花芯を入れてくるくると巻き葉っぱをつけてゴムで止め、まわりを不織布で包みマフィンカップに入れ、花のかたちに折ったタオル。
【請求項４】
ミニハンカチタオルを対角線にだいたい四分の一ぐらいの大きさになるよう折り、花芯を入れてくるくると巻き葉っぱをつけゴムで止め、まわりを不織布で包みプラスティックの容器に入れ、花のかたちに折ったタオル。
(57)【要約】      （修正有）【課題】走行する程に減っていく乗用車用タイヤのトレッドゴムの残量具合を確実に判断できるタイヤを提供する。【解決手段】乗用車用タイヤのスリップサインを色によって識別できるように、上面から残溝半分になるまでを良好を示す色、残溝半分からスリップサインの位置に至るまでを、残溝が半分以下になったことを示す色、そして、それ以降が使用限度を示す異なる３色からなる円すい台形状のゴム柱を作り、ゴム柱を埋め込む穴を備えたタイヤトレッド部に埋め込むことによって、タイヤの減り具合を確実に認識できるタイヤ。【選択図】図５
0003130375.tif 000002
【実用新案登録請求の範囲】
【請求項１】
乗用車用タイヤの使用限度・残溝１．６ミリ〈スリップサイン〉を青色〈良好〉・水色〈半分〉・赤色〈使用不可〉の３色からなるゴム柱を作り、タイヤのトレッド〈接地面〉に埋め込むことによって、タイヤの減り具合を識別できることを特徴としたタイヤ。
【考案の詳細な説明】
【考案の詳細な説明】
【技術分野】
【０００１】本考案は乗用車用タイヤの使用限度・残溝１．６ミリ〈スリップサイン〉に関するものである。
【背景技術】
【０００２】従来の乗用車用タイヤの使用限度・残溝１．６ミリ〈スリップサイン〉は、そのタイヤの基準とする溝の底の−部分を使用限度の１．６ミリの位値まで浅くしたものしかなかった。その為トレッド部〈接地面〉と同色でとても見際めにくかった。
【考案が解決しようとする課題】
【０００３】前項〈０００２〉従来の技術で述べた様な乗用車用タイヤの使用限度・残溝１．６ミリ〈スリップサイン〉では、目安となる部分が同色、なおかつ、そのタイヤの基準とする溝の底にしかない従来の使用限度・残溝１．６ミリ〈スリップサイン〉技術のタイヤを車体に装着すると、タイヤの外側から見てトレッド〈接地面〉の内側に行く程車体に遮られてとても見極めにくい。
【課題を解決するための手段】
【０００４】上記の問題を解決するための手段として、従来の技術の様に乗用車用タイヤの使用限度・残溝１．６ミリ〈スリップサイン〉が、そのタイヤのトレッド〈接地面〉ゴムと同色だったり、そのタイヤの基凖とする溝の底の１部分を使用限度・残溝１．６ミリの位置まで浅くするのではなく、３色からなるゴム柱、青色〈良好〉・水色〈半分〉・赤色〈使用不可〉をタイヤのトレッドの周囲全体を６等分した位置に、横並びに４本ずつ埋め込んでいく。
【考案を実施するための最良の形態】
【０００５】考案の実施の形態について図面を参照に説明する。
〈図２〉は考案した３色からなるゴム柱である。
〈図３〉は考案した３色からなるゴム柱を埋め込もうとする穴を、タイヤ製造工程のトレッド〈接地面〉模様を形成する時に作った穴の断面図である。
〈図４〉は前項の図３で説明した穴に、図２の考案した３色からなるゴム柱を、その乗用車用タイヤの基準とする溝の底から法定基準のタイヤ使用限度、残溝１．６ミリの位地にゴム柱の赤色〈使用不可〉ゴムの上限Ａの位地が合致するように埋め込んだタイヤの断面図である。
【考案の効果】
【０００６】考案した３色〈青色・・良好〉〈水色・・半分〉〈赤色・・使用不可〉からなるゴム柱を埋め込んだ乗用車用タイヤは、新品時より走行するほどに減っていくタイヤのトレッドゴム〈接地面のゴム〉の量に比例して、新品時から半分までは青色〈良好〉が識別でき、半分から、法定基準のタイヤ使用限度寸前までは水色〈半分〉が識別でき、それから赤色の〈使用不可・法定基準残溝１．６ミリ〉に変わる。
【０００７】前項〔０００６〕で述べたような乗用車用タイヤにしていくと、装着タイヤの今現在の状況が一目瞭然である。ゆえに、数々なタイヤのトラブルが発生する前に、タイヤのローテーションまたは新品タイヤへの交換など、カーユーザーへの意識付けをはっきりさせることができる。
【０００８】前前項〔０００６〕で述べたような乗用車用タイヤにしていくと、装着しているタイヤを使用限度・残溝１．６ミリまでうまく使い切ることができる為、エコロジーにも役立つ。
【図面の簡単な説明】
【図１】従来の乗車用タイヤに付いていた、スリップサイン〈使用限度・残溝１．６〉ミリを表した全体図Ａと断面図Ｂである。
【図２】考案した、３色からなるゴム柱の側面図である。
【図３】考案した、３色からなるゴム柱を埋め込む穴を、製造工程のトレッド模様形成時にあけた穴の断面図である。
【図４】考案した、３色からなるゴム柱をそのタイヤの基準とする溝の底から、タイヤ使用限度・残溝１．６ミリに合致する位置に３色ゴム柱のＡを合致させ、タイヤのトレッドゴムに埋め込んだものの断面図である。
【図５】考案した、３色からなるゴム柱をタイヤトレッド〈接地面〉の周囲全体を、６等分した位置に横並びに４本ずつ埋め込んだ、タイヤの全体図である。
【図１】
0003130375.tif 000003
【図５】
0003130375.tif 000004
【図２】
0003130375.tif 000005
【図３】
0003130375.tif 000006
【図４】
0003130375.tif 000007
【手続補正書】
【提出日】平成18年12月8日(2006.12.8)
【手続補正１】
【補正対象書類名】実用新案登録請求の範囲
【補正対象項目名】全文
【補正方法】変更
【補正の内容】
【実用新案登録請求の範囲】
【請求項１】
乗用車用タイヤのスリップサインを色によって識別できるように、上面から残溝半分になるまでを良好を示す色、残溝半分からスリップサインの位置に至るまでを、残溝が半分以下になったことを示す色、そして、それ以降が使用限度を示す異なる３色からなる円すい台形状のゴム柱を作り、ゴム柱を埋め込む穴を備えたタイヤトレッド部に埋め込むことによって、タイヤの減り具合を確実に認識できることを特徴とするタイヤ。
(57)【要約】      （修正有）【課題】供えたご飯とまわりの空気との接触を出来るだけ防ぐことができる仏器にかぶせる被い蓋を提供する。【解決手段】透明な、仏器にかぶせる被い蓋３をかぶせることで解決した。仏器にかぶせる被い蓋３、をかぶせることによりご飯５は外部の影響をあまり受けず、長時間供えて置いても違和感無く食べられる。【選択図】図３
0003130368.tif 000002
【実用新案登録請求の範囲】
【請求項１】
仏器台あるいは仏器膳に載せた、ご飯を盛り付けた仏器全てを被い尽くすことの出来る透明な被い蓋。
【考案の詳細な説明】
【技術分野】
【０００１】  本考案は仏前にご飯を供える時に、ご飯を盛り付けた仏器にかける被い蓋に関するものである。
【背景技術】
【０００２】  仏前にご飯を供える時はご飯を盛り付けた仏器を、仏器台か仏器膳に載せて供えるのが普通である。ところがご飯は空気中に晒されるので線香の臭い、空気中の雑菌、塵、蝿等の悪影響を受け、長時間供えて置くとそのままでは食べられなくなる。
【考案の開示】
【考案が解決しようとする課題】
【０００３】  供えたご飯とまわりの空気との接触を出来るだけ防ぐ。
【課題を解決するための手段】
【０００４】  本考案は仏器に被いかぶさる透明な被い蓋をかぶせることで解決した。
【考案の効果】
【０００５】  被い蓋をかぶせることにより、ご飯は外部の影響をあまり受けず、供えたご飯は長時間供えておいても違和感無く食べられる。
【考案を実施するための最良の形態】
【０００６】  本考案は空気との接触を出来るだけ少なくするために考案された物であるので、ご飯を盛り付けたらすみやかに使用することとが望ましい。
【実施例】
【０００７】  本考案は供えたご飯と空気との接触を減じるために考案された物であり、使用方法は只被いかぶせるだけの物である。熱いご飯に蓋をする事により、最初は内部の温度が上がり内部の空気が外部に流出し、冷えるに従い徐々に外部の空気が入りこむので雑菌等の侵入が有りその辺の効果は期待してなかったものである。しかしたとえ夏季真夏日であっても朝供えて夕方下げるにも拘らず１度も腐ったことがない。これは下部から入り込んだ空気が上部に上がってないか、あるいは入り込んだ空気が非常に少ないことがうかがわれる。
【図面の簡単な説明】
【０００８】
【図１】仏器台正面側からの斜視図である。
【図２】仏器にかぶせる覆い蓋と仏器台裏側からの斜視図である。
【図３】（図２）にご飯を盛りつけた仏器を入れた物の断面図である。
【符号の説明】
１  仏器台
２  仏器台の穴
３  仏器にかぶせる被い蓋
４  仏器
５  ご飯
【図１】
0003130368.tif 000003
【図２】
0003130368.tif 000004
【図３】
0003130368.tif 000005
【手続補正書】
【提出日】平成18年12月20日(2006.12.20)
【手続補正１】
【補正対象書類名】実用新案登録請求の範囲
【補正対象項目名】全文
【補正方法】変更
【補正の内容】
【実用新案登録請求の範囲】
【請求項１】
形は入り口として１面だけが無い函状で、透明な素材で作られ、この入り口を下に向けて仏器台、仏器膳等に載せた仏器に被せて使用する覆い蓋。